(57)【要約】【課題】心電図検査を行う機能と、血圧脈波検査を行う機能と、を具える生体情報処理装置において、ユーザに、現在見ている画面がどの機能の画面であるかを、ひと目で認識させることができるようにすること。【解決手段】表示制御部７１は、心電図計測部１０４による計測に関わる画像（心電波形を含む画像及び設定画像）を表示部７０に表示する場合と、血圧脈波計測部１００による計測に関わる画像（血圧脈波波形を含む画像及び設定画像）を表示部７０に表示する場合とで、画像の背景色を異なる色に制御する。【選択図】図１
2014061181.tif 000002
【特許請求の範囲】
【請求項１】
心電図検査に関わる画像と、血圧脈波検査に関わる画像と、を表示する表示部と、
前記心電図検査に関わる画像を前記表示部に表示する場合と、前記血圧脈波検査に関わる画像を前記表示部に表示する場合とで、画像の背景色を異なる色にする表示制御部と、
を具備する生体情報処理装置。
【請求項２】
前記画像の背景色を異なる色にする領域は、前記心電図検査に関わる画像と、前記血圧脈波検査に関わる画像との間で、互いに重なる特定領域である、
請求項１に記載の生体情報処理装置。
【請求項３】
前記表示部は、計測波形の画像よりも上の位置及び又は下の位置に、項目表示エリア及び又はファンクションキー表示エリアを、表示し、
前記表示制御部は、前記心電図検査に関わる画像を前記表示部に表示する場合と、前記血圧脈波検査に関わる画像を前記表示部に表示する場合とで、前記項目表示エリア及び又は前記ファンクションキー表示エリアの背景色を異なる色にする、
請求項１又は請求項２に記載の生体情報処理装置。
【請求項４】
心電図検査を行う機能と、血圧脈波検査を行う機能と、を具える生体情報処理装置における表示方法であって、
前記心電図検査に関わる画像を表示する場合と、前記血圧脈波検査に関わる画像を表示する場合とで、画像の背景色を異なる色にする、
生体情報処理装置における表示方法。
【発明の詳細な説明】
【技術分野】
【０００１】
本発明は、生体情報処理装置、及び生体情報処理装置における表示方法に関する。
【背景技術】
【０００２】
生体の診断には様々な生体情報が用いられる。心電計により計測される心電図（例えば、標準１２誘導心電図）は、代表的な生体情報の１つであり、心疾患等の診断に広く用いられる。標準１２誘導心電図は、被検者の四肢に装着された４つの心電電極から得られる６つの誘導心電図（I、II、III、ａＶＲ、ａｖＬ、ａＶＦ）と、被検者の胸部に装着された６つの心電電極から得られる６つの誘導心電図（Ｖ１、Ｖ２、Ｖ３、Ｖ４、Ｖ５、Ｖ６）とからなる。被検者から計測された標準１２誘導心電図の波形特徴に基づいて、被検者の心疾患を診断することができる。
【０００３】
心電図検査の結果及びこの結果に基づく所見は、レポートとして纏めて記録されたうえで被検者に提供されることがある。レポートのフォーマットとしては、例えば特許文献１に記載されたものがある。このフォーマットでは、前方から見た心臓の絵図の周囲に、I誘導、II誘導、III誘導、ａＶＲ誘導、ａｖＬ誘導及びａＶＦ誘導の各波形が配置され、上方から見た心臓の絵図の周囲に、Ｖ１誘導、Ｖ２誘導、Ｖ３誘導、Ｖ４誘導、Ｖ５誘導及びＶ６誘導の各波形が配置される。
【０００４】
ところで、心疾患の主たる原因の１つは動脈硬化である。これは脳血管疾患や末梢動脈疾患についても同様のことがいえる。社会の急速な高齢化に伴い、医療分野においては、動脈硬化性疾患の予防は重要なテーマとなっており、動脈硬化を早期発見して適切な治療をすることが重要である。また、近年では、高齢者を中心に、閉塞性動脈硬化症（ＡＳＯ）と呼ばれる下肢動脈の血流障害が増加している。閉塞性動脈硬化症は、動脈硬化が進展した結果として発症するものの１つである。
【０００５】
動脈硬化の診断に用いられる生体情報処理装置として、血圧脈波検査装置がある。血圧脈波検査装置は、血圧や脈波といった生体情報を計測することで、下肢血管の血流障害の検査や全身の動脈伸展性の検査を行うことができる。前者の検査では、動脈の詰りを示す指標（動脈閉塞指標）が、後者の検査では、動脈の硬さを示す指標（動脈硬化指標）が、それぞれ検査結果として算出される。なお、以下の説明では、便宜上、動脈閉塞指標や動脈硬化指標の総称を「動脈状態指標」という。また、血圧や脈波の計測によって行われる血流障害の検査や動脈伸展性の検査の総称を「血圧脈波検査」という。
【０００６】
ここで、動脈状態指標について幾つかの例を挙げて説明する。なお、各指標の計測手法及び計算方法はここで説明するものだけに限定されず、様々な手法があり得る。
【０００７】
下肢血管の血流障害の検査で用いられる指標は、例えばＡＢＩ（Ankle Brachial Index）である。
【０００８】
ＡＢＩは、足首の収縮期血圧の値を上腕の収縮期血圧の値で除算して得られる値であり、ＡＰＩまたはＡＢＰＩと呼ばれることもある。ＡＢＩに類似した指標として、ＴＢＩ（Toe Pressure Index）と呼ばれるものもある。ＴＢＩは、足趾（足の指）の収縮期血圧の値を上腕の収縮期血圧の値で除算して得られる値であり、ＴＰＩまたはＴＢＰＩと呼ばれることもある。
【０００９】
動脈伸展性の検査で用いられる指標としては、例えば、大動脈ＰＷＶ（Pulse Wave Velocity）（例えば、非特許文献１参照）やｂａＰＷＶ（brachial-ankle Pulse Wave Velocity：上腕−足首間ＰＷＶ）（例えば、非特許文献２参照）、ＣＡＶＩ（Cardio-Ankle Vascular Index）（例えば、非特許文献３参照）等がある。
【００１０】
ＰＷＶとは、脈波伝播速度であり、血管上の異なる２点間の距離の値を２点での脈波の時間差の値で除算して得られる、速度の単位を持つ値である。脈波の計測には、例えば、空気伝導式、光電式、空気袋式、アモルファス式、トノメトリ式など、各種方式の脈波センサが用いられる。また、ＰＷＶ計測の対象部位としては、弾性動脈である大動脈が採用されることがあり、大動脈で計測されたＰＷＶを大動脈ＰＷＶという。大動脈ＰＷＶの計測方法としては、主に２つのものがある。
【００１１】
一方の大動脈ＰＷＶ計測方法では、例えば次の式（１）により大動脈ＰＷＶを求める。
ＰＷＶ＝（ｂ＋ｃ−ａ）／ΔＴ  ・・・（１）
ここで、ΔＴは、頸動脈部での脈波立ち上がり部と大腿動脈部での脈波立ち上がり部との時間差であり、ａは、胸骨上窩から頸動脈部までの距離であり、ｂは、胸骨上窩から臍部までの距離であり、ｃは、臍部から大腿動脈部までの距離である。
【００１２】
他方の大動脈ＰＷＶ計測方法では、例えば次の式（２）により大動脈ＰＷＶを求める。
ＰＷＶ＝Ｄ×１．３／（ΔＴ＋Ｔｃ）  ・・・（２）
ここで、ΔＴは、頸動脈部での脈波立ち上がり部と大腿動脈部での脈波立ち上がり部との時間差であり、Ｔｃは、心II音（大動脈弁閉鎖の際に生じる心音）の開始から頸動脈部での脈波の切痕部（ノッチ）までの時間であり、Ｄは、心II音を計測する心音マイクが置かれた第II肋間胸骨右縁から大腿動脈部までの直線距離であり、１．３は解剖学的補正値である。
【００１３】
また、ｂａＰＷＶは、例えば次の式（３）により求められる。
ｂａＰＷＶ＝（Ｌａ−Ｌｂ）／Ｔｂａ  ・・・（３）
ここで、Ｔｂａは、カフを用いてそれぞれ計測される、上腕での脈波立ち上がり部と足首での脈波立ち上がり部との時間差であり、Ｌａは、大動脈弁口部から足首までの距離であり、Ｌｂは、大動脈弁口部から上腕までの距離である。
【００１４】
また、ＣＡＶＩの場合、上腕と足首（または膝窩）とにカフを装着して血圧および脈波の計測をすると共に、胸骨に心音マイクを装着して心音を計測する。ＣＡＶＩは、例えば次の式（４）により求められる。
【数１】
2014061181.tif 000003
ここで、Ｐｓは、上腕の収縮期血圧であり、Ｐｄは、上腕の拡張期血圧であり、ρは血液密度であり、ΔＰは、Ｐｓ−Ｐｄである。また、ＰＷＶは、脈波伝播速度であり、例えば次の式（５）により求められる。
【数２】
2014061181.tif 000004
ここで、Ｔｂは、心II音の開始から上腕での脈波の切痕部までの時間であり、Ｔｂａは、上腕での脈波立ち上がり部と足首での脈波立ち上がり部との時間差であり、Ｄは、心II音を計測する心音マイクが置かれた胸骨右縁第II肋間から大腿動脈部までの直線距離であり、１．３は解剖学的補正値であり、Ｌ２は、大腿動脈部から膝関節中央部までの直線距離であり、Ｌ３は、膝関節中央部から足首カフ装着中央部までの直線距離である。
【００１５】
例えば特許文献２には、心電図検査を行う心電計としての機能と、血圧脈波検査を行う血圧脈波検査装置としての機能と、を兼備する生体情報取得装置が記載されている。
【００１６】
特許文献２記載の生体情報取得装置では、心電図検査及び血圧脈波検査それぞれの検査結果、並びに双方の検査結果に対する総合的な判定の結果（総合所見）を、１つのレポート（生体情報検査結果レポート）に纏めて記録することができる。
【先行技術文献】
【特許文献】
【００１７】
【特許文献１】特開２００９−２０７５２８号公報
【特許文献２】特開２００８−１６８０７４号公報
【非特許文献】
【００１８】
【非特許文献１】増田善昭、金井寛著、「動脈脈波の基礎と臨床」、共立出版、１５〜１９ページ、２０００年
【非特許文献２】小澤利男、増田善昭著、「脈波速度」、メジカルビュー社、２８〜２９ページ
【非特許文献３】Kohji Shirai, Junji Utino, Kuniaki Ohtsuka, Masanobu Takada, "A Novel Blood Pressure-independent Arterial Wall Stiffness Parameter; Cardio-Ankle Vascular Index (CAVI)", Journal of Atherosclerosis and Thrombosis, Vol.13, No.2
【発明の概要】
【発明が解決しようとする課題】
【００１９】
ところで、特許文献２に記載されているような、心電図検査を行う心電計としての機能と、血圧脈波検査を行う血圧脈波検査装置としての機能と、を兼備する生体情報取得装置においては、画面上に現在表示されている画像が、心電図検査に関わる画像なのか、血圧脈波検査に関わる画像なのかが、分かりにくい場合がある。
【００２０】
一つに、設定画像において、心電図検査に関わる設定画像なのか、血圧脈波検査に関わる設定画像なのかが、分かりにくい場合がある。例えば、心電図検査についての検査結果の記録方式や印刷方式を設定する画像と、血圧脈波検査についての検査結果の記録方式や印刷方式を設定する画像とにおいては、それらの画像の間で同じような設定項目が表示されることが多いので、現在表示されている画像から、どちらの検査の設定画像が表示されているかを即座に識別することは難しい。そのため、例えば、現在表示されている設定画像が血圧脈波検査に関わるものであるにも拘わらず、ユーザが心電図検査に関わるものであると勘違いして、誤った設定をしてしまうおそれがある。誤った設定をしてしまうと、検査のやり直しに繋がることもある。一般に、医療分野では、検査のやり直しが患者への治療の遅れにも繋がることがあるので、このような、設定の誤りをできるだけ無くすることが求められる。
【００２１】
また、一つに、検査結果表示画像において、心電図検査に関わる検査結果画像なのか、血圧脈波検査に関わる検査結果画像なのかが、分かりにくい場合がある。ここで、各検査の検査結果画像としては、それぞれ、心電図波形を含む画像、及び、血圧脈波波形を含む画像が表示される。普通であれば、心電図波形と血圧脈波波形は波形形状が大きく異なるので、ユーザはその波形形状から現在表示されている検査結果表示画像が、心電図検査に関わる検査結果画像なのか、血圧脈波検査に関わる検査結果画像なのかを容易に識別できる。しかしながら、波形にノイズが乗った場合には、波形形状が崩れるので、どちらの検査波形なのかが分からなくなり、その結果、現在表示されている検査結果表示画像がどちらの検査結果画像なのかが分からなくなるおそれがある。
【００２２】
本発明の目的は、ユーザに、現在見ている画像がどの検査に関する画像であるかを、ひと目で認識させることができる、生体情報処理装置、及び生体情報処理装置における表示方法を提供することである。
【課題を解決するための手段】
【００２３】
本発明の生体情報処理装置の一つの態様は、
心電図検査に関わる画像と、血圧脈波検査に関わる画像と、を表示する表示部と、
前記心電図検査に関わる画像を前記表示部に表示する場合と、前記血圧脈波検査に関わる画像を前記表示部に表示する場合とで、画像の背景色を異なる色にする表示制御部と、
を具備する。
【００２４】
本発明の生体情報処理装置における表示方法の一つの態様は、
心電図検査を行う機能と、血圧脈波検査を行う機能と、を具える生体情報処理装置における表示方法であって、
前記心電図検査に関わる画像を表示する場合と、前記血圧脈波検査に関わる画像を表示する場合とで、画像の背景色を異なる色にする。
【発明の効果】
【００２５】
本発明によれば、ユーザに、現在見ている画面がどの機能の画面であるかを、ひと目で認識させることができる。
【図面の簡単な説明】
【００２６】
【図１】本発明の一実施の形態に係る生体情報処理装置の構成を示す図
【図２】心電図検査に関わる設定画像の表示例を示す図
【図３】血圧脈波検査に関わる設定画像の表示例を示す図
【図４】心電図検査及び血圧脈波検査に共通の設定画像の表示例を示す図
【図５】心電波形を含む画像の表示例を示す図
【図６】血圧脈波波形を含む画像の表示例を示す図
【発明を実施するための形態】
【００２７】
以下、本発明の実施の形態について、図面を用いて詳細に説明する。
【００２８】
図１は、本発明の一実施の形態に係る生体情報処理装置の構成を概略的に示す図である。
【００２９】
図１に示す生体情報処理装置１は、心電計としての機能と血圧脈波検査装置としての機能とを兼備した装置である。具体的には、生体情報処理装置１は、演算処理部１０、表示部７０、表示制御部７１、印字部７５、記憶部８０、音声出力部８５、入力部９０、上肢用計測制御部１０１、下肢用計測制御部１０２、心音計測部１０３、心電図計測部１０４及び脈波計測部１０５を有する。上肢用計測制御部１０１には、２つのカフ２１Ｒ、２１Ｌがそれぞれホース２１ｈを介して接続されており、下肢用計測制御部１０２には、２つのカフ２２Ｒ、２２Ｌがそれぞれホース２２ｈを介して接続されており、心音計測部１０３には心音マイク２３が接続されており、心電図計測部１０４には、四肢用心電電極部２４ａ及び胸部用心電電極部２４ｂが接続されており、脈波計測部１０５には、アモルファス式脈波センサ２５ａ、２５ｂが接続されている。上肢用計測制御部１０１及び下肢用計測制御部１０２は、生体情報処理装置１の血圧脈波計測部１００を構成する。
【００３０】
演算処理部１０は、ＣＰＵ（Central Processing Unit）及びメモリ等を有し、メモリに記憶された生体情報処理プログラムをＣＰＵで実行することにより、装置内各部の動作を制御するほか、各種検査の実行の際に必要な演算を行う。
【００３１】
表示部７０は、液晶ディスプレイ等のディスプレイ装置であり、演算処理部１０の制御に従って設定画面、操作ガイダンス或いは生体情報検査結果レポート等を表示する。本実施の形態の場合、表示部７０は、タッチパネルにより構成されており、表示機能に加えて入力機能も備えている。つまり、表示部７０は、ユーザのタッチ操作に応じた入力信号を得、この入力信号を、表示制御部７１及び演算処理部１０に出力する。
【００３２】
印字部７５は、サーマルプリンタ等のプリンタ装置であり、演算処理部１０の制御に従って生体情報検査結果レポート等を印字する。
【００３３】
記憶部８０は、ハードディスク等の記憶装置であり、演算処理部１０の制御に従って検査結果等を記憶する。
【００３４】
音声出力部８５は、スピーカ装置であり、演算処理部１０の制御に従って操作ガイダンス或いはアラーム音等を出力する。
【００３５】
入力部９０は、キーボード、マウス或いはボタン等の入力装置であり、ユーザの操作に従って生成される入力信号を演算処理部１０に出力し、演算処理部１０に、操作内容に応じた制御及び演算を行わせる。
【００３６】
脈波計測部１０５は、アモルファス式の脈波計測手段である。脈波計測部１０５は、被検者に適切に装着されたアモルファス式脈波センサ２５ａ、２５ｂにより検出された検出信号に対して増幅等、所定の信号処理を施す信号処理回路を有する。脈波計測部１０５は、信号処理後の検出信号を被検者の脈波信号として演算処理部１０に供給することにより、脈波の計測を行う。脈波計測部１０５から演算処理部１０への脈波信号供給は、生体情報処理装置１の電源がオンのときに継続的に行われても良いし、演算処理部１０からの要求に応じて行われても良い。脈波計測部１０５による脈波の計測は、演算処理部１０で大動脈ＰＷＶを求める場合に好適に用いられる。この場合、アモルファス式脈波センサ２５ａ、２５ｂの一方は、被検者の頸動脈部に装着され、他方は、被検者の大腿動脈部に装着される。
【００３７】
心電図計測部１０４は、被検者に適切に装着された四肢用心電電極部２４ａ及び胸部用心電電極部２４ｂにより検出された検出信号に対して増幅等、所定の信号処理を施す信号処理回路を有する。心電図計測部１０４は、信号処理後の検出信号を被検者の心電図信号として演算処理部１０に供給することにより、心電図の計測を行う。四肢用心電電極部２４ａは、典型的には、右手首、左手首、右足首及び左足首にそれぞれ装着される４つの心電電極からなる。両足首用の心電電極に関しては、両足首への装着が下肢に装着されたカフ２２Ｒ、２２Ｌにより妨げられないように形成されていることが好ましい。また、胸部用心電電極部２４ｂは、典型的には、胸部の６箇所にそれぞれ装着される６つの心電電極からなる。心電図計測部１０４から演算処理部１０への心電図信号供給は、生体情報処理装置１の電源がオンのときに継続的に行われても良いし、演算処理部１０からの要求に応じて行われても良い。
【００３８】
心音計測部１０３は、被検者に適切に装着された心音マイク２３により検出された検出信号に対して増幅等、所定の信号処理を施す信号処理回路を有する。心音計測部１０３は、信号処理後の検出信号を被検者の心音信号として演算処理部１０に供給することにより、心音の計測を行う。心音計測部１０３から演算処理部１０への心音信号供給は、生体情報処理装置１の電源がオンのときに継続的に行われても良いし、演算処理部１０からの要求に応じて行われても良い。
【００３９】
上肢用計測制御部１０１と下肢用計測制御部１０２とから成る血圧脈波計測部１００は、オシロメトリック式の血圧計測手段及び空気袋式の脈波計測手段を兼ねている。
【００４０】
上肢用計測制御部１０１は、圧力センサ１１１Ｒ、１１１Ｌと、圧力センサ１１１Ｒ、１１１Ｌによる検出信号に対して増幅等、所定の信号処理を施す信号処理回路と、カフ２１Ｒ、カフ２１Ｌに対する給排気を行うポンプ及び排気弁と、この給排気動作を制御するＣＰＵと、を有する。上肢用計測制御部１０１は、ホース２１ｈを介してカフ２１Ｒ、カフ２１Ｌのゴム嚢２１ａＲ、２１ａＬに空気を導入することでカフ２１Ｒ、２１Ｌの内圧（以下、カフの内圧を「カフ圧」という）を加圧すると共に、ゴム嚢２１ａＲ、２１ａＬから空気を排出することでカフ２１Ｒ、２１Ｌのカフ圧を減圧する。カフ２１Ｒは、右上腕に適切に装着されたカフを指し、カフ２１Ｌは、左上腕に適切に装着されたカフを指す。加圧後のカフ圧の目標値は、脈波計測の場合と血圧計測の場合とで異なり、それぞれ個別に設定可能である。
【００４１】
脈波計測の場合、上肢用計測制御部１０１は、加圧後のカフ２１Ｒ、２１Ｌのカフ圧の変動を脈波信号として圧力センサ１１１Ｒ、１１１Ｌで検出し、検出された脈波信号を演算処理部１０に供給する。脈波計測は、演算処理部１０からの要求に応じて行われる。なお、脈波計測には、２つのカフ２１Ｒ、２１Ｌのうち片方のみが使用されても良いし、両方が使用されても良い。
【００４２】
血圧計測の場合、上肢用計測制御部１０１は、減圧中にカフ２１Ｒ、２１Ｌのカフ圧の振動を圧力センサ１１１Ｒ、１１１Ｌにより検出しながら、振幅の増大が最も顕著なカフ圧を収縮期血圧として検出すると共に、振動の減少が最も顕著なカフ圧を拡張期血圧として検出する。そして、上肢用計測制御部１０１は、検出された収縮期血圧及び拡張期血圧をそれぞれ示す血圧信号を演算処理部１０に供給する。血圧計測は、演算処理部１０からの要求に応じて行われる。なお、演算処理部１０からの要求があった場合、通常は、カフ２１Ｒのみを用いた血圧計測とカフ２１Ｌのみを用いた血圧計測とが順次行われるが、これらの血圧計測は並行して行われても良い。
【００４３】
下肢用計測制御部１０２は、圧力センサ１２１Ｒ、１２１Ｌと、圧力センサ１２１Ｒ、１２１Ｌによる検出信号に対して増幅等、所定の信号処理を施す信号処理回路と、カフ２２Ｒ、カフ２２Ｌに対する給排気を行うポンプ及び排気弁と、この給排気動作を制御するＣＰＵと、を有する。下肢用計測制御部１０２は、ホース２２ｈを介してカフ２２Ｒ、カフ２２Ｌのゴム嚢２２ａＲ、２２ａＬに空気を導入することでカフ２２Ｒ、２２Ｌのカフ圧を加圧すると共に、ゴム嚢２２ａＲ、２２ａＬから空気を排出することでカフ２２Ｒ、２２Ｌのカフ圧を減圧する。カフ２２Ｒは、右足首に適切に装着されたカフを指し、カフ２２Ｌは、左足首に適切に装着されたカフを指す。加圧後のカフ圧の目標値は、脈波計測の場合と血圧計測の場合とで異なり、それぞれ個別に設定可能である。脈波計測時及び血圧計測時の下肢用計測制御部１０２の動作については、上肢用計測制御部１０１と同様であるため、ここではその詳細な説明を省略する。
【００４４】
以上、生体情報処理装置１の概略構成について説明した。次に、本実施の形態による表示について詳細に説明する。
【００４５】
表示制御部７１は、入力部９０又は表示部（タッチパネル）７０からの入力信号に基づいて、心電図検査に関わる画像、或いは、血圧脈波検査に関わる画像を表示する。そして、表示制御部７１は、心電図検査に関わる画像を表示する場合と、血圧脈波検査に関わる画像を表示する場合とで、画像の背景色を異なる色にする。
【００４６】
具体的に、図２−図６を用いて説明する。図２−図６のうち、図２、図３及び図４は各検査に関する設定画像の例であり、図５及び図６は各検査の検査結果画像の例である。
【００４７】
先ず、図２、図３及び図４に示した、各検査に関する設定画像について説明する。図２は心電図検査に関わる設定画像の表示例を示す図であり、図３は血圧脈波検査に関わる設定画像の表示例を示す図であり、図４は心電図検査及び血圧脈波検査に共通の設定画像の表示例を示す図である。
【００４８】
図２、図３及び図４に示した設定画像においては、中央部に設定表示エリア２０１−１、２０２−１、２０３−１が配置され、設定表示エリア２０１−１、２０２−１、２０３−１よりも上の位置に項目表示エリア２０１−２、２０２−２、２０３−２が配置され、設定表示エリア２０１−１、２０２−１、２０３−１よりも下の位置にファンクションキー表示エリア２０１−３、２０２−３、２０３−３が配置される。
【００４９】
ここで、表示制御部７１は、心電図検査に関わる設定画像（図２）の背景色と、血圧脈波検査に関わる設定画像（図３）の背景色と、心電図検査及び血圧脈波検査に共通の設定画像（図４）の背景色とが、それぞれ異なる色となるように制御する。例えば心電図検査に関わる設定画像（図２）の背景色を青色とし、血圧脈波検査に関わる設定画像（図３）の背景色をオレンジ色とし、心電図検査及び血圧脈波検査に共通の設定画像（図４）の背景色を緑色とする。
【００５０】
本実施の形態の場合には、項目表示エリア２０１−２、２０２−２、２０３−２及びファンクションキー表示エリア２０１−３、２０２−３、２０３−３の背景色を、上述のように設定画像に応じて異なるようにする。
【００５１】
このようにすることで、ユーザは、表示部７０に現在表示されている設定画像が心電図検査に関わる設定画像なのか、血圧脈波検査に関わる設定画像なのか、或いは共通の設定画像なのかを、ひと目で認識できるようになる。この結果、ユーザは、現在表示されている設定画像がどの検査に関する設定画像かを誤って認識することがなくなるので、このような認識誤りに基づく設定誤りを防止できる。
【００５２】
次に、図５及び図６に示した、検査結果表示画像について説明する。図５は、表示部７０に心電波形を含む画像が表示された状態を示す。図６は、表示部７０に血圧脈波波形を含む画像が表示された状態を示す。
【００５３】
図５に示すように、心電波形を含む画像では、中央部に心電波形表示エリア３０１−１が配置され、心電波形表示エリア３０１−１よりも上の位置に項目表示エリア３０１−２が配置され、心電波形表示エリア３０１−１よりも下の位置にファンクションキー表示エリア３０１−３が配置される。
【００５４】
また、図６に示すように、血圧脈波波形を含む画像では、中央部に血圧脈波表示エリア３０２−１が配置され、血圧脈波表示エリア３０２−１よりも上の位置に項目表示エリア３０２−２が配置され、血圧脈波表示エリア３０２−１よりも下の位置にファンクションキー表示エリア３０２−３が配置される。
【００５５】
ここで、表示制御部７１は、心電図検査に関わる検査結果表示画像（図５）の背景色と、血圧脈波検査に関わる検査結果表示画像（図６）の背景色とが、それぞれ異なる色となるように制御する。例えば心電図検査に関わる検査結果表示画像（図５）の背景色を青色とし、血圧脈波検査に関わる検査結果表示画像（図６）の背景色をオレンジ色とする。
【００５６】
本実施の形態の場合には、項目表示エリア３０１−２、３０２−２及びファンクションキー表示エリア３０１−３、３０２−３、３０３−３の背景色を、上述のように設定画像に応じて異なるようにする。
【００５７】
このようにすることで、ユーザは、表示部７０に現在表示されている検査結果表示画像が心電波形を含む心電図検査の検査結果表示画像なのか、血圧脈波波形を含む血圧脈波検査の検査結果表示画像なのかを、ひと目で認識できるようになる。これにより、例えば、波形にノイズが乗って波形形状が崩れた場合でも、ユーザは、現在表示されている検査結果表示画像がどちらの検査結果画像なのかを認識できる。この結果、ユーザは、背景色の色と波形形状の崩れとから、どちらの検査でノイズが発生しているかを認識できるようになるので、ノイズをなくすための対策をとることもできるようになる。例えば、心電波形にノイズが乗っていると認識した場合には、心電計と心電電極との接続をやり直したり、ノイズとなりそうな周辺の電子機器の動作を停止させたりするような、主に電気的なノイズの混入を排除するような対策を講じればよい。また、例えば、血圧脈波波形にノイズが乗っていると認識した場合には、カフの取り付け状態を再確認したり、被検者の姿勢を正させたりするような、主に電気的ではないノイズの混入を排除するような対策を講じればよい。
【００５８】
また、心電図検査と血圧脈波検査とで、検査の順番が決まっている場合には、背景色を見るだけで現在どちらの検査が行われているかを認識できるので、検査の進捗状況をひと目で認識できるようになる。
【００５９】
以上説明したように、本実施の形態によれば、心電図検査に関わる画像を表示部７０に表示する場合と、血圧脈波検査に関わる画像を表示部７０に表示する場合とで、画像の背景色を異なる色にしたことにより、ユーザは、表示されている画像が心電図検査に関するものか又は血圧脈波検査に関わるものかを、ひと目で認識できるようになる。この結果、ユーザは、検査の継続や、切り換え、設定などの操作をスムーズに行うことができるようになる。
【００６０】
例えば、表示部７０が各画面を高速にスクロールさせたり、ページ切り替えさせたりして、画面の中から、心電図検査に関わる画像、或いは、血圧脈波検査に関わる画像を、迅速に検索する場合などに便利である。特に、本実施の形態のように、画像における特定位置の背景色を異なるようにすれば、ユーザは、その位置だけを集中して見れば、その画像がどちらの検査に関する画像かを瞬時に識別できるようになる。
【００６１】
なお、上述の実施の形態では、背景色を異なるようにするエリアが、項目表示エリア２０１−２、２０２−２、２０３−２、３０１−２、３０２−２及びファンクションキー表示エリア２０１−３、２０２−３、２０３−３、３０１−３、３０２−３である場合について述べたが、本発明はこれに限らない。例えば、設定表示エリア２０１−１、２０２−１、２０３−１や、波形表示エリア３０１−１、３０２−１の背景色を、心電図検査に関わる画像と、血圧脈波検査に関わる画像とで異なる色にしてもよい。
【００６２】
なお、画像がどちらの検査に関する画像かを瞬時に識別できるようにするといった観点では、心電図検査の画像と血圧脈波検査の画像とにおける、重複した位置の背景色を異なる色とすることが好ましい。
【００６３】
また、以上の説明は本発明の好適な実施の形態の例証であり、本発明の範囲はこれに限定されない。つまり、上記実施の形態において説明した装置の構成および動作は例であり、これらを本発明の範囲において部分的に変更、追加および削除できることは明らかである。
【符号の説明】
【００６４】
１  生体情報処理装置
１０  演算処理部
２１Ｒ、２１Ｌ、２２Ｒ、２２Ｌ  カフ
２１ａＲ、２１ａＬ、２２ａＲ、２２ａＬ  ゴム嚢
２１ｈ、２２ｈ  ホース
２３  心音マイク
２４ａ  四肢用心電電極部
２４ｂ  胸部用心電電極部
２５ａ、２５ｂ  アモルファス式脈波センサ
７０  表示部
７１  表示制御部
７５  印字部
８０  記憶部
８５  音声出力部
９０  入力部
１００  血圧脈波計測部
１０１  上肢用計測制御部
１０２  下肢用計測制御部
１０３  心音計測部
１０４  心電図計測部
１０５  脈波計測部
１１１Ｒ、１１１Ｌ、１２１Ｒ、１２１Ｌ  圧力センサ
【図１】
2014061181.tif 000005
【図２】
2014061181.tif 000006
【図３】
2014061181.tif 000007
【図４】
2014061181.tif 000008
【図５】
2014061181.tif 000009
【図６】
2014061181.tif 000010